(57)【特許請求の範囲】
【請求項１】
画像データを表示する画像表示部と、前記画像表示部及び複数の部品装着部を側面に有する装置本体と、この装置本体を保持するための前記部品装着部に着脱自在に設けられるグリップ部と、前記部品装着部内に設けられた前記グリップ部の装着位置を検出するグリップ検出部と、前記グリップ検出部の検出結果に対応して前記画像表示部における画面表示方向を制御する表示制御部と、を備えることを特徴とする携帯型無線データ通信装置。
【請求項２】
前記部品装着部に着脱自在であって、かつ、前記装置本体の側面に平行な平面に沿って回動自在に構成された無線通信を行うためのアンテナ部を備えることを特徴とする請求項１記載の携帯型無線データ通信装置。
【請求項３】
前記アンテナ部は、アンテナと、該アンテナを受けるアンテナ受けと、から成り、前記アンテナ及び前記アンテナ受けにはそれぞれ嵌合部が設けられており、これらの両嵌合部が嵌合することにより前記アンテナ受けに対する前記アンテナの位置を固定させることを特徴とする請求項２記載の携帯型無線データ通信装置。
【請求項４】
前記アンテナ部は、アンテナと、該アンテナを受ける一対のアンテナ受けと、から成り、この一対のアンテナ受けの受け面が対向した状態で前記アンテナを保持することを特徴とする請求項２又は請求項３に記載の携帯型無線データ通信装置。
【発明の詳細な説明】
【０００１】
【発明の属する技術分野】
本発明は、無線によりデータ通信を行う携帯型の情報端末機器に関する。
【０００２】
【従来の技術】
従来この種の装置は、ユーザーがデータを認識し且つ操作するための画像表示部と、無線通信を行うためのアンテナ部と、ユーザーが携帯の際に装置を保持するためのグリップ部と、から構成されている。
【０００３】
この画像表示部は、装置本体の上面に設けられ、ユーザーに対し一定の方向にのみ画面を表示する。また、アンテナ部は、装置本体の背面又は側面に固定される。また、装置のグリップ部は、上記画像表示部の画面表示方向、アンテナ部の位置、人間の手の構造等によって必然的に装置本体に設けられる位置が決定される。通常、この種の装置では、右利きのユーザーが使用することを想定しているため、グリップ部は装置本体の左側面、画像表示部は装置本体の上面中央、アンテナ部は装置本体の背面に設けられている。
【０００４】
ユーザーが装置を使用する際においては、ユーザーは左手で装置本体を保持し、感度状態の良い方向にアンテナを向け、装置本体の上面に設けられている画像表示部のデータを見て、ペン入力装置や装置本体に設けられる方向キー等で画面を操作し、装置を動作させる。
【０００５】
【発明が解決しようとする課題】
しかし、上記のような従来の携帯型無線データ通信装置では、画像表示部、アンテナ部、グリップ部の位置関係は製造段階であらかじめ決定されており、ユーザーが使用形態に応じた位置変更をすることはできない。
【０００６】
このため、装置を携帯して使用する場合、アンテナがじゃまになり、片手操作がし難い場合がある。また、他の通信装置や周辺機器とともに使用する場合、アンテナの位置が固定されていることから設置レイアウトが限定されてしまう。
【０００７】
また、画像表示部は一定の方向にのみ画面を表示するものであるため、例えば画像表示部が横長に設定されている場合は、縦長の画像を表示すると上下方向の画像が切れて表示できなくなる。また、表示画像を対面する相手に提示しようとする場合は、装置全体を相手方向に回転させる必要があるため、装置本体に設けられている方向キー等の操作は１８０度反対の方向から行わなければならない。また、その際、グリップ部は右側になるため、対面する相手に画面を提示しながら装置を操作する場合は、操作がし難かった。
【０００８】
また、グリップ部は、右利きの人を想定して装置本体の左側に設けられているため、左利きの人が装置を使用する場合は、不便であった。
【０００９】
本発明は、このような問題点に鑑みてなされたものであり、ユーザーの使用形態に応じて表示画面の表示方向を自由に変換することができ、また、グリップ部を自由に付け替えることができ、さらにアンテナ部の位置を自由に変更し最良の感度状態を得ることができる使用勝手の良い携帯型無線データ通信装置を提供することを目的とする。
【００１０】
【課題を解決するための手段】
上記の目的を達成するために、本発明に係る携帯型無線データ通信装置は、画像データを表示する画像表示部と、前記画像表示部及び複数の部品装着部を側面に有する装置本体と、この装置本体を保持するための前記部品装着部に着脱自在に設けられるグリップ部と、前記部品装着部内に設けられた前記グリップ部の装着位置を検出するグリップ検出部と、前記グリップ検出部の検出結果に対応して前記画像表示部における画面表示方向を制御する表示制御部と、を備える構成を採る。
【００１１】
このような構成により、装置本体を保持するためのグリップ部を自由に着脱することができるため、ユーザーが装置を携帯して使用する場合にも片手操作も容易に行うことができる。また、他の通信装置や周辺機器とともに使用する場合でも、設置レイアウトを自由に決めることができる。また、ユーザーが右利きであるか左利きであるに関わらず、ユーザーにとって最も使いやすいようにグリップ部の位置を決めることができる。さらに、グリップ部の装着位置に応じて画像表示部の画面表示方向を変更することができるため、ユーザーの使用形態に応じて表示画面を縦、横、又は反転させ、より機能的に携帯端末機を活用することができる。また、縦長あるいは横長の画像を表示する場合は、簡単に画面表示方向を縦横変更することができるため、より有効な画面の表示を行うことができる。
【００１４】
また、本発明に係る携帯型無線データ通信装置は、前記部品装着部に着脱自在であって、かつ、前記装置本体の側面に平行な平面に沿って回動自在に構成された無線通信を行うためのアンテナ部を備える構成を採る。
【００１５】
このような構成により、無線通信を行うためのアンテナ部を自由に着脱することができるため、ユーザーが装置を携帯して使用する場合にも、アンテナが邪魔になることを回避することができ、片手操作も容易に行うことができる。また、他の通信装置や周辺機器とともに使用する場合でも、設置レイアウトを自由に決めることができる。また、ユーザーが右利きであるか左利きであるに関わらず、ユーザーにとって最も使いやすいようにグリップ部とアンテナ部の位置を決めることができる。さらに、アンテナにより送受信する際に良好な感度状態を得ることができる。また、アンテナ受けが回動自在であるため、アンテナを電界強度の高い方向に容易に向けることができ、良好な感度状態を得ることができる。
【００１６】
また、本発明に係る携帯型無線データ通信装置は、前記アンテナ部は、アンテナと、該アンテナを受けるアンテナ受けと、から成り、前記アンテナ及び前記アンテナ受けにはそれぞれ嵌合部が設けられており、これらの両嵌合部が嵌合することにより前記アンテナ受けに対する前記アンテナの位置を固定させる構成を採る。
【００１７】
このような構成により、アンテナ受けから着脱自在であるアンテナがアンテナ受けからずれることを防止することができるため、固定すべき位置に的確にアンテナを固定させることができる。
【００１８】
また、本発明に係る携帯型無線データ通信装置は、前記アンテナ部は、アンテナと、該アンテナを受ける一対のアンテナ受けと、から成り、この一対のアンテナ受けの受け面が対向した状態で前記アンテナを保持する構成を採る。
【００１９】
このような構成により、アンテナ受けから着脱自在であるアンテナをアンテナ受けから離脱し難くすることができ、アンテナを体裁良く収納することができる。
【００２０】
【発明の実施の形態】
以下、本発明の実施の形態について、図を参照してさらに具体的に説明する。
【００２１】
（実施の形態１）
図１において、携帯型無線データ通信装置本体１１には、ユーザーがこの携帯型無線データ通信装置本体１１を保持するためのグリップ部１２と、無線通信を行うためのアンテナ部１３とが携帯型無線データ通信装置本体１１に設けられた装着部１４を介して嵌合する。この装着部１４は携帯型無線データ通信装置本体１１に複数設けられており、グリップ部１２及びアンテナ部１３のいずれも装着することができるように構成されている。実施の形態１では、装着部１４は、携帯型無線データ通信装置本体１１の４つの側面に２個づつ等間隔の穴として設けられ、グリップ部１２及びアンテナ部１３に設けられた突起部１５がこの装着部１４に嵌合することにより携帯型無線データ通信装置本体１１とグリップ部１２及びアンテナ部１３が一体化する。
【００２２】
また、実施の形態１では、グリップ部１２に設けられる突起部１５は２つであって、そのうちの一方は他方に比べて長く形成されている。この突起部１５の長い方が装着部１４に入った時に後述するグリップ検出部のスイッチをＯＮとすることができる。また、この突起部１５の長い、短いというのは、後述するように画面表示の方向を決定するものであるため、ユーザーがこの長さの違いを一目で認識できるように、はっきりとした長さの違いを設けてある。あるいは、グリップ部１２に印を付けてもよい。
【００２３】
アンテナ部１３は、突起部１５を中心として装置本体の側面に平行な平面に沿って回動自在であるアンテナ受け１６と、アンテナ受け１６から着脱自在であるアンテナ１７とから構成される。このアンテナ受け１６は、断面がＵ字形の半円状をしており、この凹部にアンテナ１７を納めることによってアンテナ１７を係止することができる。また、このアンテナ受け１６とアンテナ１７のそれぞれには、アンテナ１７の位置を固定させるため、例えば、図４に示すように、嵌合部４１が設けられている。また、本実施の形態では、図１、及び図６に示すように、アンテナ受け１６を２つ用いてアンテナ１７を収納する例を示す。なお、画像表示部１８は、画像データを表示し、この画像表示部１８を見ながらユーザーは操作ボタン１９によって携帯型無線データ通信装置本体１に指示を動作させる。
【００２４】
また、図２において、グリップ検出部２１は、グリップ部１２が携帯型無線データ通信装置本体１のどの側面に装着されたかをスイッチ１〜８を介して検出する。このスイッチ１〜８は、図３に示すように、装着部１４内にそれぞれ設けられており、グリップ部１２に設けられている突起部１５のうち長い方がこの装着部１４に嵌合したときに、ＯＮになるように構成されている。そして、ＯＮとなったスイッチがある方を画面の上となるように後述する表示制御部２２が制御する。例えば、図３における装置本体の右方向からグリップ部１２を装着する場合、グリップ部１２の２つの突起部１５はスイッチ７及びスイッチ８に入るが、長い方の突起部１５がスイッチ７に入った場合は、画面表示はスイッチ７がある方が上となる。
【００２５】
また、表示制御部２２は、グリップ検出部２１が検出したグリップ部の位置によって、画像表示部１８が表示する画面の方向を決定する。記憶装置であるメモリ２３は、電気的に情報を記録し、表示領域制御スイッチ２４は、画像表示部１８に表示される画面の表示領域の制御を行う。表示反転制御スイッチ２５は、画像表示部１８に表示される画面の表示方向を１８０度反転させる制御を行う。２６は、ＣＰＵであり、ディスプレイ２７は、画像データを表示し、本実施の形態においては液晶タイプのディスプレイが利用される。
【００２６】
次に、以上のように構成された携帯型無線データ通信装置の動作について説明する。
初期状態は、グリップ部１２とアンテナ部１３は、図１に示すように、装置本体をはさんで対向する位置関係にあるとする。この時、ユーザーは、左手でグリップ部１２を保持し、右手で操作ボタン１９や図示しないペン入力装置によって携帯型無線データ通信装置本体１を動作させる。
【００２７】
次に、例えば、ユーザーが対面する相手に画面を提示したいと考えた時は、グリップ部１２を一旦引き抜いて、上下を反転させ、再び携帯型無線データ通信装置本体１の同じ側面に装着する。すると、突起部１５の長い方が入る装着部１４が入れ替わるため、表示画面が対面する相手の方向に表示されることとなる。従って、ユーザーは、左手でグリップ部１２を保持したまま対面する相手に画面を提示することができ、同時に通常どおり右手で携帯型無線データ通信装置本体１を操作することができる。
【００２８】
また、初期状態で縦長の画面表示となっている場合、横長の画像を表示させると、画面の一部が欠けることがあるが、この場合も、グリップ部１２を抜いて、携帯型無線データ通信装置本体１を９０度回転させて、縦と横を入替え、再びグリップ部１２を装着すると、装着部１４に入る長い方の突起部１５が変更されるため、それに対応するグリップ検出部のスイッチがＯＮとなり、画面の表示方向を変更することができ、横長の画面を表示することができる。
【００２９】
一方、アンテナ部１３の装着位置も、ユーザーの使用形態に応じて自由に変更することができる。すなわち、図１における初期状態では、アンテナ部１３は携帯型無線データ通信装置本体１の右側に位置するが、グリップ部１２と同様、ユーザーの希望に応じて着脱自在である。アンテナ部が右側にあると邪魔であれは、アンテナ受け１６を引き抜き、他の位置に装着し直すことができる。
【００３０】
また、本実施の形態の場合、アンテナ受け１６を２個使用しており、アンテナ１７の回転は、図５に示す様になる。すなわち、図５（ａ）は、アンテナ１７を収納した状態を示している。この場合は、アンテナ受け１６は２つとも受け面である凹部が上を向く状態にある。
【００３１】
次に、ユーザーが通信を開始しようとしてアンテナ１７を立てる場合は、図５（ｂ）における実線又は点線で示すように、図の右方向のみならず、左方向にも立ち上げることができる。このため、ユーザーの操作上の都合や、装置の設置レイアウト等により、アンテナ１７の立てる位置、方向を自由に変更することができる。
【００３２】
次に、ユーザーが通信を終了し、アンテナ１７を収納しようとする場合は、例えば、図５の（ｂ）の実線で示す状態からさらに時計回りにアンテナ受け１６及びアンテナ１７を回転させる。同時に、アンテナ１７がついていない方のアンテナ受け１６も１８０度回転させる。すると、図５（ｃ）及び図６に示すように、アンテナ受け１６の受け面である凹部が対向する向きにアンテナ１７を係止させることができる。このようにアンテナ１７を係止させることにより、携帯型無線データ通信装置本体１を携帯する際、アンテナ受け１６から着脱自在であるアンテナ１７が離脱することを防止することができる。
【００３３】
（実施の形態２）
上記の実施の形態１では、グリップ部１２における突起部１５の長い方の位置によって画面表示方向を決定したが、画面表示方向の決定は、電気的に行うこともできる。ここで、実施の形態２は、基本構成は実施の形態１とは相違ないが、表示領域制御スイッチ２４及び表示反転制御スイッチ２５は、表示画面で操作できる構成を採る。
【００３４】
初期画面においては、グリップ部１２の位置によって画面表示方向が一義的に決定される。装置起動後は、ユーザーが操作ボタン１９や図示しないペン入力装置等で図２における表示領域制御スイッチ２４、表示反転制御スイッチ２５を操作すると、表示制御部２２が画面表示方向をユーザーの指示に応じて切替える。
【００３５】
従って、ユーザーは、対面する相手に画面を提示する場合、グリップ部１２を抜き差しすることなく、画面上のアイコンをクリックすることで画面の表示方向を変更することができる。
【００３６】
【発明の効果】
以上の説明から明らかなように、本発明によれば、装置本体を保持するためのグリップ部を自由に着脱することができるため、ユーザーが装置を携帯して使用する場合にも片手操作も容易に行うことができる。また、他の通信装置や周辺機器とともに使用する場合でも、設置レイアウトを自由に決めることができる。また、ユーザーが右利きであるか左利きであるに関わらず、ユーザーにとって最も使いやすいようにグリップ部の位置を決めることができる。さらに、グリップ部の装着位置に応じて画像表示部の画面表示方向を変更することができるため、ユーザーの使用形態に応じて表示画面を縦、横、又は反転させ、より機能的に携帯端末機を活用することができる。また、縦長あるいは横長の画像を表示する場合は、簡単に画面表示方向を縦横変更することができるため、より有効な画面の表示を行うことができる。
【００３８】
また、本発明によれば、無線通信を行うためのアンテナ部を自由に着脱することができるため、ユーザーが装置を携帯して使用する場合にも、アンテナが邪魔になることを回避することができ、片手操作も容易に行うことができる。また、他の通信装置や周辺機器とともに使用する場合でも、設置レイアウトを自由に決めることができる。また、ユーザーが右利きであるか左利きであるに関わらず、ユーザーにとって最も使いやすいようにグリップ部とアンテナ部の位置を決めることができる。さらに、アンテナにより送受信する際に良好な感度状態を得ることができる。また、アンテナ受けが回動自在であるため、アンテナを電界強度の高い方向に容易に向けることができ、良好な感度状態を得ることができる。
【００３９】
また、本発明によれば、アンテナ受けから着脱自在であるアンテナがアンテナ受けからずれることを防止することができるため、固定すべき位置に的確にアンテナを固定させることができる。
【００４０】
また、本発明によれば、アンテナ受けから着脱自在であるアンテナをアンテナ受けから離脱し難くすることができ、アンテナを体裁良く収納することができる。
【図面の簡単な説明】
【図１】本発明の携帯型無線データ通信装置の全体斜視図である。
【図２】本発明の携帯型無線データ通信装置のブロック構成図である。
【図３】部品装着部及びグリップ検出部のスイッチの位置を示す平面図である。
【図４】アンテナ部を示す部分斜視図である。
【図５】アンテナをアンテナ受けに収納した状態を示す部分斜視図である。
【図６】アンテナとアンテナ受けとの回動状態を示す側面図である。
【符号の説明】
１１  携帯型無線データ通信装置本体
１２  グリップ部
１３  アンテナ部
１４  装着部
１５  突起部
１６  アンテナ受け
１７  アンテナ
１８  画像表示部
１９  操作ボタン
【図１】
0003617904.tif 000002
【図２】
0003617904.tif 000003
【図３】
0003617904.tif 000004
【図４】
0003617904.tif 000005
【図５】
0003617904.tif 000006
【図６】
0003617904.tif 000007